(57)【特許請求の範囲】
【請求項１】
コアドリルクラウン（２）の内壁（３）に沿って軸線方向に少なくとも部分的に案内される案内インサートであって、コアドリルクラウン（２）のドリル筒体（４）の前端面に設けた複数個の切り刃インサート（５）の間から半径方向に突出する半径方向突出部（１０）を設け、切り刃インサート（５）から少なくとも部分的に軸線方向に突出する同軸状の心出し手段（６）を設けたコアドリルクラウンのための案内インサートにおいて、前記心出し手段（６）をドリル筒体（４）の軸線方向長さ（Ｌ）よりも短くし、前記案内インサート内で軸線方向にばね負荷を与えかつ軸線方向に制限された範囲内で移動自在に配置し、前記案内インサートの前記半径方向突出部（１０）の側面から側方に突出するウェブ（１１）を設け、前記案内インサートを、前記コアドリルクラウン（２）の内壁（３）に沿って軸線方向に挿入した後、前記案内インサートを前記ドリル筒体（４）に対して回転することによって、前記側方に突出するウェブ（１１）が切り刃インサート（５）の背後に係合し、前記案内インサートが前記コアドリルクラウン（２）から軸線方向に抜けないよう捕捉可能にし、前記心出し手段（６）に非円形断面形状部分を設け、この心出し手段（６）の非円形断面形状部分に相補的な断面形状の孔を前記案内インサートに設け、前記前記心出し手段（６）の非円形断面形状部分と前記案内インサートの前記相補的な断面形状の孔との嵌合による形状ロックで、前記心出し手段（６）を前記案内インサートに対して相対回転不能に配置したことを特徴とするコアドリルクラウンのための案内インサート。
【請求項２】
前記心出し手段（６）を圧縮コイルばね（８）によってばね負荷を与えた請求項１記載の案内インサート。
【請求項３】
前記心出し手段（６）を、随意に焼き入れしたスチールにより構成し、軸線方向前端面に円錐形状の心出し尖端を設けたボルトにより構成した請求項１又は２記載の案内インサート。
【請求項４】
前記心出し尖端を、軸線方向の反対側の案内シャフトから半径方向に縮小し、また段差を付けて構成した請求項３記載の案内インサート。
【請求項５】
前記案内インサートは、頂部にディスク状のフランジを有してコアドリルクラウン（２）の内壁（３）に同軸状に案内されるスリーブ状のインサート手段（７）により構成し、このインサート手段を合成樹脂材料によって構成した請求項１乃至４のうちのいずれか一項に記載の案内インサート。
【請求項６】
コアドリルクラウン（２）の内径に沿って周方向に等間隔で互いに離れた少なくとも３個の案内面（９，）をインサート手段（７）のディスク状フランジの底面に設け、これら案内面を少なくとも部分的に軸線方向に延在させた請求項５記載の案内インサート。
【請求項７】
インサート手段（７）に、周方向に互いに離れるとともに、半径方向にも互いに分離した案内面（９，９′）を設け、異なる内径を有するコアドリルクラウン（２）に適合可能とした請求項６記載の案内インサート。
【請求項８】
案内面（９，９′）を前記インサート手段（７）のディスク状フランジから半径方向外方に突出する半径方向突出部（１０）に直接設けた請求項６又は７記載の案内インサート。
【発明の詳細な説明】
【０００１】
【発明の属する技術分野】
本発明は、コンクリート及び組積み構造に対して円筒形の孔を穿孔するコアドリルクラウンに収容可能な案内インサートに関するものである。
【０００２】
【従来の技術】
このようなコアドリルクラウンは、周方向に切り刃インサートを分布させ、この切り刃インサートは、ダイヤモンドを分散させたマトリックスによる形状が規定されていない切り刃形式又は多結晶ダイヤモンドによる形状が規定されている形式とする。
【０００３】
独国特許第４４３０１４１号明細書には、クラウンの底面を貫通して沈潜可能に案内インサートに対して軸線方向に応力を加えた長い先細の心出し尖端を設けたコアドリルクラウンのための案内インサートが記載されており、コアドリルクラウンの中空シャフト内に案内インサートを差し込むようにしている。このような長い先細の心出し尖端は、穿孔の際に大きな横方向力によって案内を受けられず、コアドリルクラウンはずれる恐れがある。
【０００４】
独国第４４２０９９９号明細書には、半径方向ばねによってコアドリルクラウンの内壁に沿って軸線方向に案内される案内インサートが記載されており、この案内インサートには、コアドリルクラウンの切り刃インサート間から半径方向に突出する案内部分を設け、この案内部分には軸線方向に固定した心出しドリルを設けている。この案内部分は、回転することにより切り刃インサートの背後に進入して軸線方向の捕捉がなされるアンダーカットを設けている。心出しドリルは本来は不要な削り取り部分に対する心出しするためのものである。
【０００５】
【発明が解決しようとする課題】
本発明の目的は、不要な削り取り部分を生ずることなしに、正確な穿孔を行うことができるようにするコアドリルクラウンのための案内インサートを得るにある。
【０００６】
【課題を解決するための手段】
この目的を達成するため、本発明コアドリルクラウンのための案内インサートは、コアドリルクラウンの内壁に沿って軸線方向に少なくとも部分的に案内される案内インサートであって、コアドリルクラウンのドリル筒体の前端面に設けた複数個の切り刃インサートの間から半径方向に突出する半径方向突出部を設け、切り刃インサートから少なくとも部分的に軸線方向に突出する同軸状の心出し手段を設けたコアドリルクラウンのための案内インサートにおいて、前記心出し手段をドリル筒体の軸線方向長さよりも短くし、前記案内インサート内で軸線方向にばね負荷を与えかつ軸線方向に制限された範囲内で移動自在に配置し、前記案内インサートの前記半径方向突出部の側面から側方に突出するウェブを設け、前記案内インサートを、前記コアドリルクラウンの内壁に沿って軸線方向に挿入した後、前記案内インサートを前記ドリル筒体に対して回転することによって、前記側方に突出するウェブが切り刃インサートの背後に係合し、前記案内インサートが前記コアドリルクラウンから軸線方向に抜けないよう捕捉可能にしたことを特徴とする。
【０００７】
ドリル筒体の軸線方向長さよりも短くかつ案内インサート内で軸線方向にばね負荷を与えられた沈潜可能な心出し手段によれば、クラウン筒体の内壁に沿って正確に案内され、横方向力に対しても軸線方向に僅かに移動し、これにより、正確な穿孔が可能になる。
また、案内インサートの抜け落ちを防止することができる。
【０００８】
好適には、心出し手段を圧縮コイルばねによってばね負荷を与えるようにし、このようにすると、心出し手段と案内インサートとの間の同軸状の空間を節約できる。
【０００９】
好適には、心出し手段を、随意に焼き入れしたスチールにより構成し、軸線方向前端面に円錐形状の心出し尖端を設けたボルトにより構成し、このようにすると、不要な削り出し部分がなく、例えば、案内孔を形成する必要なく心出しを行うことができる。
【００１０】
好適には、心出し尖端を、軸線方向の反対側の案内シャフトから半径方向に縮小し、また段差を付けて構成し、このようにすると、圧縮コイルばねの軸線方向の止め部として作用することができる。
【００１１】
好適には、ボルトを案内インサートに対して形状ロックで相対回転不能に配置し、このようにすると、相対回転により生ずる磨耗を回避することができる。
【００１３】
好適には、コアドリルクラウンの内壁に同軸状に案内されるスリーブ状のインサート手段を設け、このインサート手段を随意に合成樹脂材料によって構成し、このようにすると、例えば、射出成形によって簡単に製造することができる。
【００１４】
好適には、コアドリルクラウンの内径に沿って周方向に等間隔で互いに離れた少なくとも３個の案内面をインサート手段に設け、これら案内面を少なくとも部分的に軸線方向に延在させ、このようにすると、同軸状の案内を簡単に行うことができるようになる。
【００１５】
好適には、インサート手段に、周方向に互いに離れたるとともに、半径方向にも互いに分離した案内面を設け、このようにすると、異なる直径の複数個のコアドリルクラウンに対して１個の案内インサートで適用することができるようになる。
【００１６】
好適には、案内面を半径方向突出部に直接設け、このようにすると、切り刃インサートを有するドリル筒体の前端面に加わる横方向力を吸収することができるようになる。
【００１７】
【発明の実施の形態】
次に、図面につき本発明の好適な実施の形態を説明する。
【００１８】
図１にはコアドリルクラウン２の案内インサート１の一部切除した縦断面を示し、このコアドリルクラウン２の内壁３に軸線方向に部分的に部分的に案内し、コアドリルクラウン２のドリル筒体４の前端面に設けた複数個の切り刃インサート５の間から半径方向に突出させ、ドリル筒体４の前端面で軸線方向移動の制限を行う。部分的に切り刃インサート５から軸線方向に突出する同軸状の心出し手段６を、半径方向に縮小する段差を付けた案内シャフトの軸線方向の前面側が円錐形状に尖った心出しボルトとして構成する。心出し手段６はドリル筒体４の軸線方向長さＬよりも短いものとして構成し、スリーブ状のインサート手段７に対して心出し手段６の案内シャフトとインサート手段７との間に同軸状に配置した圧縮コイルばね８によりばね負荷を受けかつ軸線方向に制限された範囲で移動自在にする。インサート手段７は、コアドリルクラウン２の内径に沿って周方向に互いに離れた案内面９を設け、これら案内面９は部分的に軸線方向に延在させ、また直接突出する半径方向突出部１０を設ける。
【００１９】
図２には案内インサート１の正面からの状態を示し、この案内インサートの３個の半径方向突出部１０をコアドリルクラウン２の３個の切り刃インサート５間の隙間から突出させ、また軸線方向に捕捉可能なウェブ１１が回転することにより切り刃インサート５の背後に錠止する。ボルト６は六角形状の輪郭によりインサート手段７に形状ロックして相対回転不能ではあるが、軸線方向に制限された範囲での案内を生ずるようにする。
【００２０】
図３には直径が異なる２個のコアドリルクラウンに適合する本発明案内インサートの実施例を示し、インサート手段７の背面において周方向に互いに離して２個の互いに離れた案内面９，９′を設け、これら案内面は軸線方向に部分的に延在し、かつ３個の半径方向突出部１０から直接突設する。異なる直径の他の異なる数例えば、３個又は４個の直径のための実施例としては、これに対応する数の互いに離れた案内面９を設ける。
【図面の簡単な説明】
【図１】  本発明案内インサートの一部断面とする側面図である。
【図２】  案内インサートの正面図である。
【図３】  案内インサートのインサート手段に関する他の実施例における背面図である。
【符号の説明】
1  案内インサート
2  コアドリルクラウン
3  内壁
4  ドリル筒体
5  切り刃インサート
6  心出し手段
7  インサート手段
8  圧縮コイルばね
9  案内面
10  半径方向突出部
11  ウェブ
【図１】
0004795627.tif 000002
【図２】
0004795627.tif 000003
【図３】
0004795627.tif 000004